(57)【特許請求の範囲】
【請求項１】
第１記録媒体に記録されたデータを高速再生する再生手段と、
前記再生手段が高速再生したデータを第２記録媒体に高速記録する第１記録手段と、
前記第１記録手段が高速記録したデータを示す記録データ情報を生成する情報生成手段と、
前記第１記録手段が高速記録を開始してから所定時間内に該第１記録手段が再び高速記録を行うことを禁止し、所定時間が経過した後に該禁止を停止する記録禁止手段と、
前記記録禁止手段が高速記録を禁止している間に供給される、データの高速記録を指示する記録指示信号に応答して、高速記録対象であるデータが前記記録データ情報が示すデータと一致するか否かを判別する判別手段と、
前記判別手段が一致すると判別した場合に、前記記録禁止手段による禁止を停止し、前記再生手段に高速記録対象であるデータを高速再生させると共に、前記第１記録手段に該高速記録対象であるデータを高速記録させる第２記録手段と、
から構成されていることを特徴とするデータ記録再生装置。
【請求項２】
前記第２記録手段は、
前記判別手段が一致すると判別した場合に、前記記録禁止手段による禁止を停止し、前記第２記録媒体の該データを消去し、前記再生手段に高速記録対象であるデータを高速再生させると共に、高速再生されたデータを前記第１記録手段に記録させる手段、
を備えることを特徴とする請求項１に記載のデータ記録再生装置。
【請求項３】
前記情報生成手段が生成した記録データ情報を記憶する情報記憶手段と、
前記記録禁止手段が高速記録の禁止を停止した後、前記情報記憶手段が記憶した記録データ情報を消去する情報消去手段と、
をさらに備え、
前記判別手段は、前記情報記憶手段が記憶した記録データ情報を用いて、高速記録対象であるデータが記録データ情報が示すデータと一致するか否かを判別する、
ことを特徴とする請求項１又は２に記載のデータ記録再生装置。
【請求項４】
前記判別手段が、高速記録対象であるデータが前記情報記憶手段に記憶されている前記記録データ情報が示すデータと一致すると判別した場合に、該記録データ情報が示すデータの中から、一致すると判別されたデータを削除するデータ削除手段をさらに備える、ことを特徴とする請求項３に記載のデータ記録再生装置。
【請求項５】
前記第１記録手段がデータの高速記録を行う記録位置にセットされた前記第２記録媒体を該記録位置から排出する排出手段をさらに備え、
前記情報消去手段は、前記排出手段が前記第２記録媒体を前記記録位置から排出した場合にも、前記情報記憶手段が記憶した記録データ情報を消去する、
ことを特徴とする請求項３に記載のデータ記録再生装置。
【請求項６】
第１記録媒体に記録されたデータを高速再生する再生工程と、
前記再生工程で高速再生したデータを第２記録媒体に高速記録する第１記録工程と、
前記第１記録工程で高速記録したデータを示す記録データ情報を生成する情報生成工程と、
前記第１記録工程で高速記録を開始してから所定時間内に再びデータの高速記録が行われることを禁止し、所定時間が経過した後に該禁止を停止する記録禁止工程と、
前記記録禁止工程で高速記録を禁止している間に供給される、データの高速記録を指示する記録指示信号に応答して、高速記録対象であるデータが前記記録データ情報が示すデータと一致するか否かを判別する判別工程と、
前記判別工程で一致すると判別した場合に、高速記録の禁止を停止し、高速記録対象であるデータを高速再生すると共に、該高速記録対象であるデータを前記第２記録媒体に高速記録する第２記録工程と、
を備えることを特徴とするデータ記録再生方法。
【請求項７】
前記第２記録工程は、
前記判別工程で一致すると判別した場合に、前記記録禁止工程による禁止を停止し、前記第２記録媒体の該データを消去し、前記再生工程に高速記録対象であるデータを高速再生させると共に、高速再生されたデータを前記第１記録工程で、前記第２記録媒体に記録させる工程、
を備える、ことを特徴とする請求項６に記載のデータ記録再生方法。
【請求項８】
前記情報生成工程で生成した記録データ情報を記憶する情報記憶工程と、
前記記録禁止工程で高速記録の禁止を停止した後、前記情報記憶工程で記憶した記録データ情報を消去する情報消去工程と、
をさらに備え、
前記判別工程は、前記情報記憶工程で記憶した記録データ情報を用いて、高速記録対象であるデータが記録データ情報が示すデータと一致するか否かを判別する工程を備える、
ことを特徴とする請求項６又は７に記載のデータ記録再生方法。
【請求項９】
前記判別工程で、高速記録対象であるデータが前記情報記憶工程で記憶した前記記録データ情報が示すデータと一致すると判別した場合に、該記録データ情報が示すデータの中から、一致すると判別されたデータを削除するデータ削除工程をさらに備える、ことを特徴とする請求項８に記載のデータ記録再生方法。
【請求項１０】
データの高速記録が行われる記録位置にセットされた前記第２記録媒体を該記録位置から排出する排出工程をさらに備え、
前記情報消去工程は、前記排出工程で前記第２記録媒体が前記記録位置から排出された場合に、前記情報記憶工程で記憶した記録データ情報を消去する工程を備える、
ことを特徴とする請求項８に記載のデータ記録再生方法。
【請求項１１】
コンピュータを、
第１記録媒体に記録されたデータを高速再生する再生手段と、
前記再生手段が高速再生したデータを第２記録媒体に高速記録する第１記録手段と、
前記第１記録手段が高速記録したデータを示す記録データ情報を生成する情報生成手段と、
前記第１記録手段が高速記録を開始してから所定時間内に該第１記録手段が再び高速記録を行うことを禁止し、所定時間が経過した後に該禁止を停止する記録禁止手段と、
前記記録禁止手段が高速記録を禁止している間に供給される、データの高速記録を指示する記録指示信号に応答して、高速記録対象であるデータが前記記録データ情報が示すデータと一致するか否かを判別する判別手段と、
前記判別手段が一致すると判別した場合に、前記記録禁止手段による禁止を停止し、前記再生手段に高速記録対象であるデータを高速再生させると共に、前記第１記録手段に該高速記録対象であるデータを高速記録させる第２記録手段と、
から構成されていることを特徴とするデータ記録再生装置として機能させるためのプログラムを記録したコンピュータ読み取り可能な記録媒体。
【発明の詳細な説明】
【０００１】
【発明の属する技術分野】
本発明は、データ記録再生装置に関し、特に、著作権を保護する機能を有するデータ記録再生装置に関する。また、本発明は、著作権を保護すると共にデータを高速度でダビングする方法に関する。さらに、本発明は、著作権を保護すると共にデータを高速度でダビングするためのプログラムを記録した記録媒体に関する。
【０００２】
【従来の技術】
ＣＤ（Compact Disc）等に記録されている楽曲データをダビングする際、ＭＤ（Mini Disc ）等の光磁気ディスクを用いることにより、音質の劣化等をほとんど伴わずに楽曲データをＭＤ等に記録することができる。
オーディオ装置を用いて楽曲データをＣＤからＭＤにダビングする際、通常の再生速度よりも早い速度（倍速以上）でダビングすることにより、短時間で楽曲データをＭＤに記録することができる。
しかし、以上のような高速ダビングを連続して行うことにより、同一の楽曲データが多量にコピーされてしまう。このため、高速ダビングを行った場合、所定のダビング禁止時間内（例えば７４分間）は再度高速ダビングすることを禁止することにより、著作権を保護するオーディオ装置がある。
【０００３】
【発明が解決しようとする課題】
上記したように、著作権保護機能を備えたオーディオ装置を用いると、一度高速ダビングした後は、所定のダビング禁止時間が経過しない限り再び高速ダビングすることはできない。このため、楽曲データの一部分だけを高速ダビングした場合、ＭＤの記録容量が途中で足りなくなった場合、又は、停電等により高速ダビングが途中で停止した場合等でも、上記ダビング禁止時間が経過しない限り、高速ダビングが禁止される。これにより、特定の楽曲データだけを記録し直す場合でも、上記ダビング禁止時間の経過を待たなければならないため、効率が悪いという問題がある。言い換えると、著作権保護機能を備えたオーディオ装置は、著作権の保護と、効率の良いデータの記録とを同時に実現することができないという問題がある。
【０００４】
従って、本発明は、著作権を保護すると共に、効率よくデータの記録を行うデータ記録再生装置及びデータ記録再生方法を提供することを目的とする。また、本発明は、著作権を保護すると共に、効率よくデータの記録を行うことを可能にする記録媒体を提供することを目的とする。
【０００５】
【課題を解決するための手段】
上記目的を達成するために、本発明の第１の観点にかかるデータ記録再生装置は、第１記録媒体に記録されたデータを高速再生する再生手段と、前記再生手段が高速再生したデータを第２記録媒体に高速記録する第１記録手段と、前記第１記録手段が高速記録したデータを示す記録データ情報を生成する情報生成手段と、前記第１記録手段が高速記録を開始してから所定時間内に該第１記録手段が再び高速記録を行うことを禁止し、所定時間が経過した後に該禁止を停止する記録禁止手段と、前記記録禁止手段が高速記録を禁止している間に供給される、データの高速記録を指示する記録指示信号に応答して、高速記録対象であるデータが前記記録データ情報が示すデータと一致するか否かを判別する判別手段と、前記判別手段が一致すると判別した場合に、前記記録禁止手段による禁止を停止し、前記再生手段に高速記録対象であるデータを高速再生させると共に、前記第１記録手段に該高速記録対象であるデータを高速記録させる第２記録手段と、から構成されていることを特徴とする。
この発明によると、著作権を保護すると共に、効率よくデータの記録を行うことができる。
【０００６】
前記第２記録手段は、前記判別手段が一致すると判別した場合に、前記記録禁止手段による禁止を停止し、前記第２記録媒体の該データを消去し、前記再生手段に高速記録対象であるデータを高速再生させると共に、高速再生されたデータを前記第１記録手段に記録させる手段、を備えてもよい。
【０００７】
前記情報生成手段が生成した記録データ情報を記憶する情報記憶手段と、前記記録禁止手段が高速記録の禁止を停止した後、前記情報記憶手段が記憶した記録データ情報を消去する情報消去手段と、をさらに備え、前記判別手段は、前記情報記憶手段が記憶した記録データ情報を用いて、高速記録対象であるデータが記録データ情報が示すデータと一致するか否かを判別してもよい。
【０００８】
前記判別手段が、高速記録対象であるデータが前記情報記憶手段に記憶されている前記記録データ情報が示すデータと一致すると判別した場合に、該記録データ情報が示すデータの中から、一致すると判別されたデータを削除するデータ削除手段をさらに備えてもよい。
【０００９】
前記第１記録手段がデータの高速記録を行う記録位置にセットされた前記第２記録媒体を該記録位置から排出する排出手段をさらに備え、前記情報消去手段は、前記排出手段が前記第２記録媒体を前記記録位置から排出した場合にも、前記情報記憶手段が記憶した記録データ情報を消去してもよい。
【００１０】
本発明の第２の観点にかかるデータ記録再生方法は、第１記録媒体に記録されたデータを高速再生する再生工程と、前記再生工程で高速再生したデータを第２記録媒体に高速記録する第１記録工程と、前記第１記録工程で高速記録したデータを示す記録データ情報を生成する情報生成工程と、前記第１記録工程で高速記録を開始してから所定時間内に再びデータの高速記録が行われることを禁止し、所定時間が経過した後に該禁止を停止する記録禁止工程と、前記記録禁止工程で高速記録を禁止している間に供給される、データの高速記録を指示する記録指示信号に応答して、高速記録対象であるデータが前記記録データ情報が示すデータと一致するか否かを判別する判別工程と、前記判別工程で一致すると判別した場合に、高速記録の禁止を停止し、高速記録対象であるデータを高速再生すると共に、該高速記録対象であるデータを前記第２記録媒体に高速記録する第２記録工程と、を備えることを特徴とする。
【００１１】
前記第２記録工程は、前記判別工程で一致すると判別した場合に、前記記録禁止工程による禁止を停止し、前記第２記録媒体の該データを消去し、前記再生工程に高速記録対象であるデータを高速再生させると共に、高速再生されたデータを前記第１記録工程で、前記第２記録媒体に記録させる工程、を備えてもよい。
【００１２】
前記情報生成工程で生成した記録データ情報を記憶する情報記憶工程と、前記記録禁止工程で高速記録の禁止を停止した後、前記情報記憶工程で記憶した記録データ情報を消去する情報消去工程と、をさらに備え、前記判別工程は、前記情報記憶工程で記憶した記録データ情報を用いて、高速記録対象であるデータが記録データ情報が示すデータと一致するか否かを判別する工程を備えてもよい。
【００１３】
前記判別工程で、高速記録対象であるデータが前記情報記憶工程で記憶した前記記録データ情報が示すデータと一致すると判別した場合に、該記録データ情報が示すデータの中から、一致すると判別されたデータを削除するデータ削除工程をさらに備えてもよい。
【００１４】
データの高速記録が行われる記録位置にセットされた前記第２記録媒体を該記録位置から排出する排出工程をさらに備え、前記情報消去工程は、前記排出工程で前記第２記録媒体が前記記録位置から排出された場合に、前記情報記憶工程で記憶した記録データ情報を消去する工程を備えてもよい。
【００１５】
本発明の第３の観点にかかるコンピュータ読み取り可能な記録媒体は、コンピュータを、第１記録媒体に記録されたデータを高速再生する再生手段と、前記再生手段が高速再生したデータを第２記録媒体に高速記録する第１記録手段と、前記第１記録手段が高速記録したデータを示す記録データ情報を生成する情報生成手段と、前記第１記録手段が高速記録を開始してから所定時間内に該第１記録手段が再び高速記録を行うことを禁止し、所定時間が経過した後に該禁止を停止する記録禁止手段と、前記記録禁止手段が高速記録を禁止している間に供給される、データの高速記録を指示する記録指示信号に応答して、高速記録対象であるデータが前記記録データ情報が示すデータと一致するか否かを判別する判別手段と、前記判別手段が一致すると判別した場合に、前記記録禁止手段による禁止を停止し、前記再生手段に高速記録対象であるデータを高速再生させると共に、前記第１記録手段に該高速記録対象であるデータを高速記録させる第２記録手段と、から構成されていることを特徴とするデータ記録再生装置として機能させるためのプログラムを記録している。
【００１６】
【発明の実施の形態】
次に、本発明の実施の形態にかかる記録再生装置について図面を参照して説明する。
本発明の実施の形態にかかる記録再生装置は、オーディオ装置等に備えられ、ＣＤ（Compact Disc）に記録されている楽曲データをＭＤ（Mini Disc ）に高速度で記録（高速ダビング）する。
上記記録再生装置は、図１に示すように、ＣＤ再生部１と、ＭＤ記録再生部２と、ＤＡＣ（デジタル／アナログコンバータ）３と、操作部４と、表示部５と、メモリ６と、タイマ７と、コントローラ８と、から構成されている。
【００１７】
ＣＤ再生部１は、ＣＤを所定速度で回転させるスピンドルモータ、所定波長のレーザ光をＣＤに照射し、ＣＤに記録されている情報（データ）を読み出す光ピックアップ、光ピックアップをＣＤの径方向に移動させるスレッドモータ、及び、ＤＳＰ（Digital Signal Processor）等から構成されている。ＣＤ再生部１は、複数枚のＣＤを収納し、ＣＤに記録されているＴＯＣ（Table Of Contents ）情報から、ＣＤを通常速度で再生する際にかかる総時間、及び、記録されている楽曲データの数（トラック数）等を取得する。ＣＤ再生部１に収納される各ＣＤは、その収納位置に応じて、例えばディスク１、ディスク２、・・・というディスク番号により区別される。ＣＤ再生部１は、ディスク番号、総時間、及び、トラック数等をそれぞれ対応付け、ＣＤトラック情報としてコントローラ８に出力する。また、ＣＤ再生部１は、ＣＤに記録された楽曲データを通常速度で再生（通常再生）し、又は、高速度で再生（高速再生）し、ＭＤ記録再生部２及びＤＡＣ３に出力する。
【００１８】
ＭＤ記録再生部２は、ＭＤを所定速度で回転させるスピンドルモータ、ＭＤに情報（データ）を記録する磁気ヘッド、ＭＤに所定波長のレーザ光を照射し、ＭＤに記録されている情報（データ）を読み出す光ピックアップ、磁気ヘッド及び光ピックアップをＭＤの径方向に移動させるスレッドモータ、及び、ＤＳＰ（Digital Signal Processor）等から構成されている。ＭＤ記録再生部２は、所定位置にセットされたＭＤに記録されているＴＯＣ情報から、ＭＤに記録されている楽曲データの数（トラック数）等を取得し、ＭＤトラック情報としてコントローラ８に出力する。また、ＭＤ記録再生部２は、ＣＤ再生部１から供給される楽曲データをＭＤに記録する。具体的には、ＭＤ記録再生部２は、ＣＤ再生部１が通常再生した楽曲データを通常速度で記録（通常録音）し、ＣＤ再生部１が高速再生した楽曲データを高速度で記録（高速録音）する。また、ＭＤ記録再生部２は、ＭＤに記録されている楽曲データを再生し、再生した楽曲データをＤＡＣ３に出力する。
【００１９】
ＤＡＣ３は、ＣＤ再生部１及びＭＤ記録再生部２から供給される楽曲データをアナログの楽曲信号に変換し、変換した楽曲信号を所定のアンプ及びスピーカ等を介して音声として出力する。
操作部４は、記録再生装置の利用者が様々な指示を入力するために設けられており、利用者による所定の操作に従って様々な指示を示す信号をコントローラ８に出力する。例えば、操作部４は、楽曲データをＣＤからＭＤに高速ダビングすることを指示する高速ダビング信号、ＭＤに記録された楽曲データを高速ダビングにより記録し直すことを指示する再記録信号、及び、ＭＤ記録再生部２に収納されているＭＤの排出を指示するディスク排出信号等をコントローラ８に出力する。なお、高速ダビング信号は、高速ダビング対象の楽曲データが記録されているＣＤのディスク番号、高速ダビング対象の楽曲データが何曲目であるのかを示すトラック番号、及び、ダビングする順番等を示す。また、再記録信号は、再記録対象の楽曲データがＭＤの何曲目に記録されているのかを示すトラック番号等を示す。
【００２０】
表示部５は、所定のマークや文字列等を表示することにより、利用者にオーディシステムの動作状況等を示す。
メモリ６は、ＲＡＭ（Random Access Memory）等を備え、上記ＣＤトラック情報及び上記ＭＤトラック情報を記憶する。また、メモリ６は、著作権保護のために高速ダビングを禁止したり、この禁止を解除したりするために用いられる対応テーブルを記憶する。対応テーブルは、例えば図２に示すように、高速ダビングされた楽曲データのそれぞれについて、ダビングされた順番、ダビング先であるＭＤの記録トラック番号、及び、ダビング元であるＣＤとそのＣＤの再生トラック番号（TNO ）をそれぞれ対応付ける。言い換えると、対応テーブルは、ＣＤからＭＤに高速ダビングされた楽曲データを示している。なお、ダビング元であるＣＤを示す情報として、ＣＤの総時間（DISC TOTAL TIME ）及びトラック数（MAX TNO）等が対応テーブルに格納される。
【００２１】
タイマ７は、著作権を保護するために、高速ダビングを禁止するダビング禁止時間（例えば７４分）をカウントする。
コントローラ８は、ＣＰＵ（Central Processing Unit ）及び周辺ＬＳＩ（Large Scale Integration ）等から構成されるマイクロコンピュータ等から構成されている。コントローラ８は、ＣＤ再生部１、ＭＤ記録再生部２、及び、操作部４から供給される様々な情報及び信号等を用いて、ＣＤ再生部１、ＭＤ記録再生部２、ＤＡＣ３、表示部５、メモリ６、及び、タイマ７の動作を制御し、楽曲データの高速ダビングを行う。なお、コントローラ８の詳しい動作については後述する。
【００２２】
次に、以上のように構成された記録再生装置の動作について説明する。
楽曲データを高速ダビングする際、記録再生装置の利用者は、高速ダビング対象である楽曲データを記録した所定枚数のＣＤをＣＤ再生部１にセットし、ダビング先であるＭＤをＭＤ記録再生部２にセットする。
ＣＤ再生部１は、セットされた各ＣＤのＴＯＣ情報から、ＣＤの総時間及びトラック数等を取得し、上記ＣＤトラック情報を生成してコントローラ８に出力する。
また、ＭＤ記録再生部２は、セットされたＭＤのＴＯＣ情報から、ＭＤのトラック数等を取得し、上記ＭＤトラック情報を生成してコントローラ８に出力する。
コントローラ８は、ＣＤ再生部１から供給されるＣＤトラック情報、及び、ＭＤトラック情報をメモリ６に記憶させる。
【００２３】
次に、記録再生装置の利用者は、楽曲データをＣＤからＭＤに高速ダビングするため、操作部４を操作して高速ダビング対象の楽曲データが記録されているＣＤのディスク番号、高速ダビング対象の楽曲データが記録されているトラック番号、及び、ダビングする順番等を設定する。
操作部４は、利用者が所定の操作により設定したディスク番号、トラック番号、及び、ダビングする順番等を高速ダビング信号としてコントローラ８に出力する。
コントローラ８は、操作部４から供給される高速ダビング信号に応答して、図３に示す高速ダビング処理を開始する。
【００２４】
始めに、コントローラ８は、タイマ７がダビング禁止時間のカウントを終了しているか否か、即ち、ダビング禁止時間が経過しているか否かを判別する（ステップＳ１０１）。
ダビング禁止時間が経過していないと判別した場合（ステップＳ１０１；ＮＯ）、コントローラ８は、高速ダビングが可能になるまでの残り時間等を表示部５に表示し（ステップＳ１０２）、後述するステップＳ１０５の処理を行う。このように、前回の高速ダビングから所定のダビング禁止時間が経過していない場合は、高速ダビングができないので著作権を保護することができる。
一方、ダビング禁止時間が経過していると判別した場合（ステップＳ１０１；ＹＥＳ）、コントローラ８は、タイマ７に所定のダビング禁止時間をセットし、タイマ７を始動させることによりダビング禁止時間のカウントを開始する（ステップＳ１０３）。
【００２５】
続いて、コントローラ８は、操作部４から供給された高速ダビング信号をＣＤ再生部１に出力し、高速録音を指示する高速録音信号をＭＤ記録再生部２に出力する。これにより、ＣＤ再生部１は、高速ダビング信号に従って所定の楽曲データを所定の順番で高速再生し、ＭＤ記録再生部２は、ＣＤ再生部１が高速再生する楽曲データを高速録音する。また、コントローラ８は、高速ダビング信号及び高速録音信号を出力すると共に、メモリ６に記憶させたＣＤトラック情報及びＭＤトラック情報を用いて図２に示した対応テーブルを作成し、メモリ６に記憶させる（ステップＳ１０４）。このようにして、前回の高速ダビングから所定のダビング禁止時間が経過している場合は、高速ダビングを行うことができる。なお、高速ダビングする際、コントローラ８は、高速ダビング中であることを示すマークや文字列等を表示部５に表示させてもよい。
【００２６】
高速ダビングが終了した後、コントローラ８は、ステップＳ１０３で始動させたタイマ７がダビング禁止時間のカウントを終了する前に、操作部４から再記録信号又はディスク排出信号を供給されるか否かを判別する（ステップＳ１０５）。
信号が供給されないと判別した場合（ステップＳ１０５；ＮＯ）、コントローラ８は、後述するステップＳ１１２の処理を行う。
信号が供給されたと判別した場合（ステップＳ１０５；ＹＥＳ）、コントローラ８は、操作部４から供給された信号が、再記録信号及びディスク排出信号の何れであるかを判別する（ステップＳ１０６）。
【００２７】
供給される信号が再記録信号であると判別した場合（ステップＳ１０６；再記録信号）、コントローラ８は、再記録信号が示すトラック番号がステップＳ１０４で作成した対応テーブルの記録トラック番号に含まれているか否かを判別する（ステップＳ１０７）。
記録トラック番号に含まれていないと判別した場合（ステップＳ１０７；ＮＯ）、コントローラ８は、高速ダビングが可能になるまでの残り時間等を表示部５に表示し（ステップＳ１０８）、ステップＳ１０５にリターンする。このように、再記録信号が示すトラック番号が対応テーブルに含まれていない場合、再記録対象の楽曲データは、ステップＳ１０４で高速ダビングされた楽曲データではないため、高速ダビングにより記録し直すことはできない。これにより、楽曲データの著作権を保護することができる。
【００２８】
一方、記録トラック番号に含まれていると判別した場合（ステップＳ１０７；ＹＥＳ）、コントローラ８は、再記録信号が示すトラック番号に記録されている楽曲データに関するデータを対応テーブルから削除する（ステップＳ１０９）。具体的には、コントローラ８は、再記録信号が示すトラック番号（記録トラック番号）と、その記録トラック番号に対応するＣＤ及び再生トラック番号とを対応テーブルから削除する。例えば、コントローラ８は、所定データを上書きすることにより、再記録信号が示すトラック番号（記録トラック番号）と、その記録トラック番号に対応するＣＤ及び再生トラック番号とを対応テーブルから完全に消去する。またこの際、コントローラ８は、再記録信号をＭＤ記録再生部２に出力し、再記録信号が示すトラック番号に記録されている楽曲データをＭＤから削除してもよい。なお、この場合も、コントローラ８は、例えば所定データを上書きすることにより、再記録信号が示すトラック番号に記録されている楽曲データを完全に消去する。
その後、コントローラ８は、例えば表示部５に所定のマークや文字列等を表示することにより、再記録対象である楽曲データが記録されているＣＤのトラック番号等の入力を利用者に指示する（ステップＳ１１０）。
【００２９】
利用者が操作部４を操作し、コントローラ８の指示に従って再記録対象の楽曲データが記録されているトラック番号等を入力すると、コントローラ８は、ステップＳ１０３にリターンし、入力されたトラック番号に記録されている楽曲データの再記録を行う。このように、ステップＳ１０７で再記録信号が示すトラック番号が対応テーブルに含まれていると判別された場合、即ち、再記録対象の楽曲データがステップＳ１０４で高速ダビングされた楽曲データである場合にのみ、高速ダビングの禁止が一旦停止（解除）され、楽曲データを高速ダビングによって記録し直すことができる。
【００３０】
また、ステップＳ１０６で供給される信号がディスク排出信号であると判別した場合（ステップＳ１０６；排出信号）、コントローラ８は、供給されたディスク排出信号をＭＤ記録再生部２に出力することにより、ＭＤの排出を指示する（ステップＳ１１１）。
そして、コントローラ８は、メモリ６に記憶させた対応テーブルを消去し（ステップＳ１１２）、高速ダビング処理を終了する。なお、ＭＤが排出された後も、タイマ７はダビング禁止時間をカウントしているため、ＭＤをＭＤ記録再生部２に再度セットしても、ダビング禁止時間が経過するまでは高速ダビングを行うことができない。
以上のようにして、著作権を保護すると共に、高速ダビングに失敗した楽曲データを高速ダビングにより再度記録し直すことができる。
【００３１】
（具体例）
次に、具体例により上記記録再生装置の動作を説明する。
具体例として、ダビング禁止時間が経過した後に３つの楽曲データを高速ダビングし、その後、２番目に高速ダビングした楽曲データを再記録する場合について説明する。なお、高速ダビング対象である３つの楽曲データは、それぞれ異なるＣＤに記録されているとする。
始めに、記録再生装置の利用者は、高速ダビング対象である楽曲データを記録している３枚のＣＤをＣＤ再生部１にセットし、ダビング先であるＭＤをＭＤ記録再生部２にセットする。なお、ＭＤには楽曲データが１つも記録されていないとする。
【００３２】
ＣＤ再生部１は、セットされた各ＣＤのＴＯＣ情報から、ＣＤの総時間及びトラック数等を取得し、例えば図４（ａ）に示すようなＣＤトラック情報を生成してコントローラ８に出力する。
また、ＭＤ記録再生部２は、セットされたＭＤのＴＯＣ情報から、ＭＤのトラック数等を取得し、図４（ｂ）に示すようなＭＤトラック情報を生成してコントローラ８に出力する。
【００３３】
コントローラ８は、ＣＤ再生部１から供給されるＣＤトラック情報、及び、ＭＤ記録再生部２から供給されるＭＤトラック情報をメモリ６に記憶させる。
次に、記録再生装置の利用者は、操作部４を操作して、高速ダビング対象の楽曲データが記録されているＣＤのディスク番号、高速ダビング対象の楽曲データが記録されているトラック番号、及び、ダビングする順番等を設定する。例えば、利用者は、操作部４を操作し、１番目にディスク２のトラック３に記録されている楽曲データを、２番目にディスク３のトラック５に記録されている楽曲データを、３番目にディスク１のトラック１に記録されている楽曲データを高速ダビングすることを設定する。
【００３４】
操作部４は、利用者の設定に従って、例えば図５に示すような高速ダビング信号をコントローラ８に出力する。高速ダビング信号は、図５に示すように、高速ダビング信号の始まりを示すスタートコードと、高速ダビング信号の終わりを示すエンドコードと、スタートコードとエンドコードとの間にダビングする順番に並んだディスク番号及びトラック番号と、から構成されている。
コントローラ８は、操作部４から供給される上記高速ダビング信号に応答して、図３に示した高速ダビング処理を開始する。
【００３５】
始めに、コントローラ８は、タイマ７がダビング禁止時間のカウントを終了しているか否か、即ち、前回の高速ダビングからダビング禁止時間が経過しているか否かを判別する（ステップＳ１０１）。
上記したように、ダビング禁止時間が経過した後に３つの楽曲データを高速ダビングするので、コントローラ８は、ダビング禁止時間が経過していると判別する（ステップＳ１０１；ＹＥＳ）。そして、コントローラ８は、タイマ７に所定のダビング禁止時間をセットし、タイマ７を始動させることによりダビング禁止時間のカウントを開始する（ステップＳ１０３）。
【００３６】
続いて、コントローラ８は、操作部４から供給された高速ダビング信号をＣＤ再生部１に出力し、高速録音を指示する高速録音信号をＭＤ記録再生部２に出力する。これにより、ＣＤ再生部１は、高速ダビング信号に従って３つの楽曲データを所定の順番で高速再生し、ＭＤ記録再生部２は、ＣＤ再生部１が高速再生する楽曲データをＭＤに高速録音する。また、コントローラ８は、高速ダビング信号及び高速録音信号を出力すると共に、メモリ６に記憶させたＣＤトラック情報及びＭＤトラック情報を用いて図６に示す対応テーブルを作成し、メモリ６に記憶させる（ステップＳ１０４）。
【００３７】
高速ダビングが終了した後、コントローラ８は、ステップＳ１０３で始動させたタイマ７がダビング禁止時間のカウントを終了する前に、操作部４から再記録信号又はディスク排出信号を供給されるか否かを判別する（ステップＳ１０５）。
記録再生装置の利用者は、例えば２番目に高速ダビングした楽曲の音飛び等を発見し、２番目に高速ダビングした楽曲データを再び高速ダビングするために操作部４を操作する。操作部４は、利用者の操作に従って、例えば図７に示すような再記録信号をコントローラ８に出力する。なお、再記録信号は、図７に示すように、再記録信号の始まりを示すスタートコードと、再記録対象の楽曲データが記録されたＭＤのトラック番号と、再記録信号の終わりを示すエンドコードと、から構成されている。これにより、コントローラ８は、信号が供給されたと判別し（ステップＳ１０５；ＹＥＳ）、操作部４から供給された信号が、再記録信号及びディスク排出信号の何れであるかを判別する（ステップＳ１０６）。
【００３８】
コントローラ８は、例えば信号のスタートコードから、供給された信号が再記録信号であると判別し（ステップＳ１０６；再記録信号）、再記録信号が示すトラック番号（図７ではトラック２）がステップＳ１０４で作成した対応テーブルの記録トラック番号に含まれているか否かを判別する（ステップＳ１０７）。
この場合、コントローラ８は、記録トラック番号に含まれていると判別し（ステップＳ１０７；ＹＥＳ）、再記録信号が示すトラック２に記録されている楽曲データに関するデータを対応テーブルから削除する（ステップＳ１０９）。具体的には、コントローラ８は、図６に示した対応テーブルの２行目（ダビング順が２）のデータを削除する。
【００３９】
そして、コントローラ８は、例えば表示部５に所定のマークや文字列等を表示することにより、再記録対象である楽曲データが記録されてるＣＤのトラック番号等の入力を利用者に指示する（ステップＳ１１０）。
利用者が操作部４を操作し、コントローラ８の指示に従って再記録対象の楽曲データが記録されているトラック番号等を入力すると、コントローラ８は、ステップＳ１０３にリターンし、入力されたトラック番号に記録されている楽曲データの再記録を行う。
以上のようにして、３つの楽曲データを高速ダビングし、２番目に高速ダビングした楽曲データを再記録することができる。
【００４０】
その後、コントローラ８は、ステップＳ１０５でダビング禁止時間が終了するまでに信号が供給されないと判別した場合（ステップＳ１０５；ＮＯ）、メモリ６に記憶させた対応テーブルを消去して（ステップＳ１１２）、高速ダビング処理を終了する。又は、コントローラ８は、ステップＳ１０６でディスク排出信号を供給されたと判別した場合（ステップＳ１０６；排出信号）、ＭＤ記録再生部２に供給されたディスク排出信号をＭＤ記録再生部２に出力してＭＤを排出させた後（ステップＳ１１１）、メモリ６に記憶させた対応テーブルを消去して（ステップＳ１１２）、高速ダビング処理を終了する。
以上に示したようにして、高速ダビングした楽曲データを記録し直す場合には、再度高速ダビングを行うことができる。これにより、著作権を保護すると共に、効率よく楽曲データをＭＤに記録することができる。
【００４１】
なお、コントローラ８は、上記対応テーブルを作成する際、ダビング元であるＣＤとそのＣＤの再生トラック番号を用いる代わりに、楽曲データが示す楽曲固有の情報であるＩＳＲＣ（International Standard Recording Code ）等を用いてもよい。
また、上記記録再生装置は、ＣＤからＭＤへの楽曲データの高速ダビングだけでなく、プログラムやデータ等の高速ダビング一般に適用することができる。例えば、ＣＤ−ＲＡＭ、ＤＶＤ−ＲＡＭ等の記録媒体に画像データやプログラム等を高速ダビングする場合にも適用することができる。
【００４２】
また、本発明の装置は、専用の装置を用いる必要はなく、通常のコンピュータにより実現することができる。例えば、コンピュータに上記した各処理を実行させるためのプログラム及びデータを記録媒体（フロッピーディスク、ＣＤ−ＲＯＭ等）に記録して配布し、これをインストールしてＯＳ上で実行することにより、この発明の装置を実現できる。
また、プログラム及びデータは、ＣＤ−ＲＯＭ等に限らず、通信回線等を介して配布してもよい。
【００４３】
【発明の効果】
以上の説明から明らかなように、本発明によって、著作権を保護すると共に、効率よくデータの記録を行うことができる。
【図面の簡単な説明】
【図１】本発明の実施の形態にかかる記録再生装置の構成図である。
【図２】図１に示した記録再生装置を構成するメモリが記憶する対応テーブルの構成を示す図である。
【図３】図１に示した記録再生装置を構成するコントローラが行う高速ダビング処理を示すフローチャートである。
【図４】（ａ）は、図１に示した記録再生装置を構成するＣＤ再生部が生成するＣＤトラック情報を示す図であり、（ｂ）は、図１に示した記録再生装置を構成するＭＤ記録再生部が作成するＭＤトラック情報を示す図である。
【図５】高速ダビング信号の構成図である。
【図６】メモリが記憶する対応テーブルの具体例を示す図である。
【図７】再記録信号の構成図である。
【符号の説明】
１  ＣＤ再生部
２  ＭＤ記録再生部
３  ＤＡＣ（デジタル／アナログコンバータ）
４  操作部
５  表示部
６  メモリ
７  タイマ
８  コントローラ
【図１】
0003870001.tif 000002
【図２】
0003870001.tif 000003
【図３】
0003870001.tif 000004
【図４】
0003870001.tif 000005
【図５】
0003870001.tif 000006
【図６】
0003870001.tif 000007
【図７】
0003870001.tif 000008